(57)【要約】【課題】対象物を常に平行に挟み込む事が容易に可能で、構造が簡単な万力を提供する。【解決手段】口金組み合わせボルトを口金本体の対象物を挟み込む面に直交する方向に一体に設けて、口金本体の二個それぞれに形成した口金組み合わせ用の貫通した穴に互いの口金組み合わせボルトを通し二個の口金本体を組み合わせ一組の万力として機能する事が出来るようにした事で、片側の圧力調整ナットを口金組み合わせボルトに締めこむだけでもう一方の口金組み合わせボルトが口金の平行移動ガイドとして機能するので、二個の口金本体が対象物を常に平行に挟み込む事が出来、さらにもう一方の圧力調整ナットを同時に締めこめば互いの口金組み合わせボルトが梃子軸として機能するので、両方の圧力調整ナットに軽い力を加えるだけで対象物を二個の口金本体により常に平行かつ強力に挟み込む事が容易に出来るようにしたことを特徴とする万力。【選択図】図２
2017121690.tif 000002
【特許請求の範囲】
【請求項１】
二個の口金本体を組み合わせて一組の万力として対象物を平行に挟み込む万力であって、口金組み合わせボルトを口金本体の対象物を挟み込む面に直交する方向に口金本体と一体に設けて、口金本体の対象物を挟み込む面の長手方向の中心点を挟み口金組み合わせボルトと向かい合う位置に形成した口金組み合わせ用の貫通した穴に互いの口金組み合わせボルトを通し、口金本体の対象物を挟み込む面の対面から圧力調整ナットを締めこむ事により二個の口金本体を組み合わせることで、一組の万力として機能することを特徴とする万力。
【請求項２】
前記万力で、前記二個の口金本体を組み合わせる時に容易に前記二個の口金本体の間に対象物を配置出来るように、前記口金本体の前記口金組み合わせ用の貫通した穴に開口部を設けたことを特徴とする請求項１記載の万力。
【発明の詳細な説明】
【技術分野】
【０００１】  本発明は、対象物を平行に挟み込む万力に関する。
【背景技術】
【０００２】  機械加工時等に加工用対象物を平行に挟み込む万力は、従来の平行バイスの様に挟み込む加工用部材を口金の中心から口金を全体的に平行に挟み固定するか、どちらか片側からの挟み込む力を杆軸によりガイドをすることによって口金を全体的に平行に動かす事で、加工用対象物を挟み込む機構になっていた。
しかしながら中心部と口金の端の部分では挟み込む力が均一にならず、挟み込む対象物を口金の端の部分に取り付けると口金の端の部分の挟み込む力は中心部に加えた圧力よりも弱くなってしまい構造も複雑になってしまうという欠点が有った。【０００３】  このため、軽い力を加えるだけで強力に対象物を常に平行に挟み込む事が可能で簡単な構造の万力が望まれていた。
例えば下記特許文献１に記載のはた金型の万力は、その主杆軸にねじ溝を切ることにより、摺動あごの位置調整が容易なものとなり、固定も自動的に行えるため作業効率が向上する。構造自体が単純なため、複軸とすることも容易で、締め付け強度の向上、軽量化などの利点もあるというものであった。
【先行技術文献】
【特許文献】
【０００４】
【特許文献１】特願２００８−１２４４７０（Ｐ２００８−１２４４７０）
【発明の概要】
【発明が解決しようとする課題】
【０００５】  しかしながら、特許文献１のはた金型の万力は主杆軸が口金の片側にしか無い為に口金が傾き中心部と口金の端の部分では挟み込む力が均一にならず、挟み込む対象物を口金の端の部分に取り付けると口金の端の部分の挟み込む力は中心部に加えた圧力よりも弱くなり、強い力で締め付けると口金が傾き両方の口金の平行を保つことは出来ない。
このため、特許文献１のはた金型の万力は対象物を常に平行に挟み込む事ができるというものではなかった。【０００６】  本発明は、前記のような従来の問題を解決するものであり、軽い力を加えるだけで強力に対象物を常に平行に挟み込む事が可能で簡単な構造の万力を提供することを目的とする。
【課題を解決するための手段】
【０００７】  特許文献１のはた金型の万力は主杆軸が口金の片側にしか無い為に口金が傾き中心部と口金の端の部分では挟み込む力が均一にならず、挟み込む対象物を口金の端の部分に取り付けると口金の端の部分の挟み込む力は中心部に加えた圧力よりも弱くなり、強い力で締め付けると口金が傾くために両方の口金の平行を保つことは出来なくなると考えられる。【０００８】  前記目的を達成するために、本発明の万力は口金組み合わせボルトを口金本体の対象物を挟み込む面と直角に交わる方向に口金本体と一体に設けて、二個の口金本体それぞれに形成した貫通した口金組み合わせ用の穴に互いの口金組み合わせボルトを通し、圧力調整ナットにより二個の口金本体を組み合わせることにより一組の万力として機能して、二個の口金本体により対象物を常に平行に挟み込む事が出来るようにしたことを特徴とする。
【発明の効果】
【００９】  本発明によれば、口金組み合わせボルトを口金本体の対象物を挟み込む面に直交する方向に口金本体と一体に設けて、二個の口金本体のそれぞれに形成した貫通した口金組み合わせ用の穴に互いの口金組み合わせボルトを通し、圧力調整ナットにより二個の口金本体を組み合わせて一組の万力として機能する事が出来るようにした事で、片側の圧力調整ナットを口金組み合わせボルトに締めこむだけでもう一方の口金組み合わせボルトが口金の平行移動ガイドとして機能するので二個の口金本体により対象物を常に平行に挟み込む事が出来る。
さらにもう一方の圧力調整ナットを同時に締めこめば互いの口金組み合わせボルトが梃子軸として機能するので、両方の圧力調整ナットに軽い力を加えるだけで対象物を二個の口金本体により常に平行かつ強力に挟み込む事が簡単な構造で容易にできる。
【図面の簡単な説明】
【００１０】
【図１】本発明の一組の万力の斜視図。
【図２】図１に示した一組の万力に対象物を配置した状態を示す斜視図。
【図３】口金本体を二個組み合わせて一組の万力にした実施形態の正面図。
【図４】図３に示した口金本体の一個の正面図。
【図５】図４に示した口金本体の右側面図。
【図６】図４に示した口金本体の左側面図。
【図７】従来のクランプを用いた時の実施形態の要部を示す正面概略図。
【図８】図２に示した一組の万力に対象物を配置した実施形態の要部を示す正面概略図。
【図９】片方の口金本体の口金組み合わせ用の貫通穴に開口部を設けた実施形態の一組の万力の斜視図。
【図１０】第一口金本体をバイス型にして第二口金組み合わせ用の貫通穴に開口部を設けた実施形態の斜視図。
【発明を実施するための形態】
【００１１】  以下、本発明の万力について、図面を参照しながら説明する。本実施形態に係る万力は、対象物１０を配置し、圧力調整ナットを締め込むことで、対象物１０を二個の口金本体によって常に平行に挟み込む事ができる器具である。
図１は本発明の実施形態に係る口金本体の二個を一対に組み合わせた一組の万力９の斜視図である。図２は図１に示した口金本体の二個を一対に組み合わせた一組の万力９により対象物１０を平行に挟み込んだ実施形態を示す斜視図である。図３は口金本体の二個を一対に組み合わせた一組の万力９の正面図である。図４は、図３に示した第一口金本体１の一個の正面図である。図５は、図４に示した第一口金本体１の一個の右側面図である。図６は、図４に示した第一口金本体１の一個の左側面図である。図７は、従来の実施形態のクランプ１１により対象物１０を挟み込んだ時の要部を示す正面概略図である。図８は、図２に示した実施形態の口金本体の二個を一対に組み合わせた一組の万力９によって、対象物１０を挟み込んだ時の要部を示す正面概略図である。図９は、二個の口金本体を組み合わせる時に対象物１０を容易に配置出来るように、片方の第一口金本体１の第一口金組み合わせ用貫通穴７に開口部１６を設けた実施形態を示す斜視図である。図１０は、第一口金本体１をバイス型にして、第二口金本体２に設けた第二口金組み合わせ用貫通穴８に開口部１６を設けた実施形態を示す斜視図である。
【００１２】  図４に示したように、口金本体には口金組み合わせボルトが口金本体のネジ穴にネジ込まれて固定される事で、口金本体の対象物を挟み込む面に直交する方向に口金本体と一体に設けられている。
口金本体には、口金本体の対象物を挟み込む面の長手方向の中心点を挟み、口金組み合わせボルトと向かい合う位置に、口金本体の二個を一対に組み合わせる為の口金組み合わせボルトが通る貫通した口金組み合わせ用の穴が形成されている。
【００１３】  図３に示したように、二個の口金本体は互いの口金本体と一体に設けられた口金組み合わせボルトが双方の口金本体に形成された口金組み合わせ用の貫通した穴を通り対象物を挟み込む面の対面から二個の圧力調整ナットで締め付ける事により、口金本体の二個を一対に組み合わせることで一組の万力９として機能する。
二個の口金本体の間に対象物１０を配置して圧力調整ナットを締めこめば、一組の万力９として対象物１０を平行に挟み込む事ができる。
【００１４】  図２は、一組の万力９に、挟み込む対象である対象物１０を配置した状態を示す斜視図である。
あらかじめ、二個の口金本体の間隔を対象物１０より大きくした状態で、二個の口金本体の間に対象物１０を配置し、二個の口金本体と一体に設けられた口金組み合わせボルトを互いの口金本体組み合わせ用の貫通穴に通して、互いの口金本体の対象物を挟み込む面の反対面から両方の口金組み合わせボルトの圧力調整ナットを締めこむことにより組み合わせれば、対象物は二個の口金本体によって平行に押圧される。
【００１５】  図７は従来の実施形態のクランプ１１に対象物１０を配置した時の要部を示す正面概略図である。
図７に示した様に第一口金本体１には第一口金本体組み合わせ用の二個の穴７に口金組み合わせボルト１７が二本貫通しているのみで口金と一体の口金組み合わせボルト５は付いておらず、第二口金本体２には第二口金本体組み合わせ用の二個の穴８に口金組み合わせボルト１７が二本貫通しているのみで口金と一体の口金組み合わせボルト６は付いていないので、片側の第一圧力調整ナット３を締めこみ対象物１０に圧力が掛かると対象物１０を支点にして第一口金本体１と第二口金本体２には矢印の方向に力が伝わり、第一口金本体１と第二口金本体２は互いに斜めに傾くので圧力の損失が大きくなる。
第一口金本体１と第二口金本体２にはいずれも平行移動する為のガイドになる機構が無いために、互いが常に平行になるように全て同じ圧力で四個の圧力調整ナットを同時に締めこむ事は非常に困難である。
【００１６】  図８は、図２に示した実施形態の一組の万力９に対象物１０を配置した要部を示す正面概略図であり、片方の第一圧力調整ナット３を締めこむと矢印の方向に力が伝わる。
片側の第一圧力調整ナット３を第二口金組み合わせボルト６に締めこむだけでもう一方の第一口金組み合わせボルト５が口金の平行移動ガイドとして機能するので二個の口金本体が対象物１０を常に平行に挟み込む事が出来る。
第一口金本体１には第一口金本体の対象物を挟み込む面に直角に交わる方向に第一口金組み合わせボルト５が第一口金本体と一体に設けられており、第二口金本体２には第二口金本体の対象物を挟み込む面に直角に交わる方向に第二口金組み合わせボルト６が第二口金本体と一体に設けられているので、二個の口金本体と二個の口金組み合わせボルトが組み合わさった四角形の対角線の位置にあるＡとＢの二点の角度が直角に固定されているので二個の口金本体は常に平行に移動して斜めに傾く事は無いので圧力の損失は少ない。
さらに、もう一方の第二圧力調整ナット４を第一圧力調整ナット３と同時に締めこめば、互いの口金組み合わせボルトが梃子軸として機能するので、両方の圧力調整ナットに軽い力を加えるだけで対象物１０を二個の口金本体により常に平行かつ強力に挟み込む事ができる。
【００１７】  図９は、二個の口金本体を組み合わせる時に対象物１０を容易に配置出来るように、片方の口金本体の口金組み合わせ用の貫通した穴に開口部１６を設けた実施例である。
【００１８】  図１０は、第一口金本体１をバイス型にして、第二口金本体２に設けた第二口金組み合わせ用の貫通した穴８に開口部１６を設けた実施例である。
【００１９】  以上実施例について詳細に説明したが、本発明はこのような実施例に限定されるものではなく、細部の構成、形状、配置、素材等において本発明の要旨を逸脱しない範囲において任意に変更実施できる。
【符号の説明】
【００２０】１  第一口金本体
２  第二口金本体
３  第一圧力調整ナット
４  第二圧力調整ナット
６  第一口金組み合わせボルト
６  第二口金組み合わせボルト
７  第一口金組み合わせ用貫通穴
８  第二口金組み合わせ用貫通穴
９  一組の万力
１０  対象物
１１  従来のクランプ
１２  力点
１３  支点
１４  作用点
１５  片側の口金本体組み合わせ用貫通穴に開口部を設けた一組の万力
１６  開口部
１７  口金組み合わせボルト
【図１】
2017121690.tif 000003
【図２】
2017121690.tif 000004
【図３】
2017121690.tif 000005
【図４】
2017121690.tif 000006
【図５】
2017121690.tif 000007
【図６】
2017121690.tif 000008
【図７】
2017121690.tif 000009
【図８】
2017121690.tif 000010
【図９】
2017121690.tif 000011
【図１０】
2017121690.tif 000012